(57)【要約】【課題】食器に収容されている内容物を冷却して、乳幼児等にとって食べやすくするための食器内容物冷却器具であって、冷却剤の冷却が容易な食器内容物冷却器具を提供すること。【解決手段】本発明は、別体の食器２に収容された内容物を冷却するための食器内容物冷却器具１であって、食器２を出し入れするために設けられた本体上部３と、本体上部３に取り外し可能に設けられる環状の冷却剤部５とを備える。本体上部３は、冷却剤部５を載置できるように湾曲している。【選択図】図１
2011055995.tif 000002
【特許請求の範囲】
【請求項１】
別体の食器に収容された内容物を冷却するための食器内容物冷却器具であって、
前記食器を出し入れするために設けられた本体上部と、
前記本体上部に取り外し可能に設けられる環状の冷却剤部とを備え、
前記本体上部は、前記冷却剤部を載置できるように湾曲していることを特徴とする、食器内容物冷却器具。
【請求項２】
前記冷却剤部は、ドーナツ状又は一部が切り欠かれた環状であることを特徴とする、請求項１に記載の食器内容物冷却器具。
【請求項３】
前記本体上部は、上端部から切り欠かれた切欠部を含み、
前記冷却剤部は、前記切欠部に対応する箇所が欠けている環状であることを特徴とする、請求項１に記載の食器内容物冷却器具。
【請求項４】
前記冷却剤部は、前記本体上部の内壁面の傾斜に沿った形状を有することを特徴とする、請求項１〜３のいずれかに記載の食器内容物冷却器具。
【請求項５】
前記本体上部に前記食器が収容されたときに、前記食器の底面が接触しないような高さを有する本体下部をさらに備えることを特徴とする請求項１〜４のいずれかに記載の食器内容物冷却器具。
【請求項６】
前記本体上部は、前記冷却剤部の形状に沿って、環状に湾曲していることを特徴とする、請求項１〜５のいずれかに記載の食器内容物冷却器具。
【発明の詳細な説明】
【技術分野】
【０００１】
本発明は、食品を冷まして、乳幼児や高齢者、介護者、並びに犬や猫などのペット等にとって食べやすくするための食器内容物冷却器具に関する。
【背景技術】
【０００２】
従来、乳幼児に食事をさせる際、スプーンに取った食料に息を吹きかけることによって、当該食料を冷まして、乳幼児に与えていた。
【先行技術文献】
【特許文献】
【０００３】
【特許文献１】実開平２−４７９６４号公報
【特許文献２】特開２００１−８２８４２号公報
【特許文献３】実開昭６２−９０５８１号公報
【特許文献４】実開昭５８−１４８２６号公報
【特許文献５】実開昭５９−１０３６９４号公報
【発明の概要】
【発明が解決しようとする課題】
【０００４】
しかし、スプーンを使って、食品に息を吹きかけて食品を冷ますのは、疲れる作業である。特に、ある程度自身で食事ができるようになっている乳幼児であれば、食器内の食品の全体が冷めていれば、このような作業は不要であるはずにも関わらず、いちいち、息を吹きかけて食品を冷ますのは、非効率的である。特に、通常、味噌汁やスープ、おかゆ、離乳食などは、椀状の食器に入れられていることが多く、このような椀状の食器に入れられた食品を楽に冷ますことができる器具があれば、とても便利である。ところが、このような器具は、従来存在しなかった。
【０００５】
特許文献１には、内底面に定着する大きさのスポンジ等の緩衝材を置き、当該緩衝材の上部にビニール樹脂体の封入蓄冷材を載置し、当該封入蓄冷材の上に、大皿の外底面を載せて、当該大皿を冷却するための皿受保冷容器が開示されている。しかし、特許文献１に記載の皿受保冷容器は、大皿に盛られた食品を冷たい状態に維持する器具であり、また、椀状の食器に入れられた食品を冷ますという用途には使用できない。
【０００６】
特許文献２には、回転寿司などで使用される飲食物搬送装置の循環搬送路上に載置可能な容器本体内に、断熱空間を設けて、当該断熱空間に保冷材を格納している保冷容器が開示されている。しかし、特許文献２に記載されている保冷容器は、収容された食品を冷たい状態に維持する器具であり、また、椀状の食器に入れられた食品を冷ますという用途には使用できない。
【０００７】
特許文献３には、分解組立可能な二重構造になったジョッキの内部間隙に蓄冷材を入れて、ジョッキ内部の飲料物が冷めないようにした器具が開示されている。特許文献３に記載されている器具も、椀状の食器に入れられた食品を冷ますという用途には使用できない。
【０００８】
特許文献４及び５には、椀状の容器が開示されている。しかし、特許文献４及び５に記載の容器は、いずれも、容器の底部分に蓄冷材が封入されているので、当該蓄冷材を冷やしておくために、容器全体を、冷蔵庫又は冷凍庫に入れなければならない。ところが、容器全体を、冷蔵庫又は冷凍庫に入れるのは、場所を取り、邪魔である。
【０００９】
それゆえ、本発明の目的は、食器に収容されている内容物を冷却して、乳幼児等にとって食べやすくするための食器内容物冷却器具であって、冷却剤の冷却が容易な食器内容物冷却器具を提供することである。
【課題を解決するための手段】
【００１０】
上記課題を解決するために、本発明は、以下のような特徴を有する。本発明は、別体の食器に収容された内容物を冷却するための食器内容物冷却器具であって、食器を出し入れするために設けられた本体上部と、本体上部に取り外し可能に設けられる環状の冷却剤部とを備える。本体上部は、冷却剤部を載置できるように湾曲していることを特徴とする。
【００１１】
好ましくは、冷却剤部は、ドーナツ状又は一部が切り欠かれた環状であると良い。
【００１２】
好ましくは、本体上部は、上端部から切り欠かれた切欠部を含み、冷却剤部は、切欠部に対応する箇所が欠けている環状であると良い。
【００１３】
好ましくは、冷却剤部は、本体上部の内壁面の傾斜に沿った形状を有すると良い。
【００１４】
好ましくは、本体上部に食器が収容されたときに、食器の底面が接触しないような高さを有する本体下部をさらに備えると良い。
【００１５】
好ましくは、本体上部は、冷却剤部の形状に沿って、環状に湾曲していると良い。
【発明の効果】
【００１６】
本発明によれば、本体上部が冷却剤部を載置できるように湾曲しており、冷却剤部が環状であるので、冷却剤部が食器の側面に接することとなる。これにより、食器の内容物が冷却されることとなる。さらに、冷却剤部は、取り外しが可能であるので、冷蔵庫や冷凍庫で容易に冷却することができる。
【００１７】
冷却剤部をドーナツ状又は一部が切り欠かれた環状にすれば、冷却剤部の冷却が容易となる。また、形状がユニークであるので、乳幼児の関心を引き、乳幼児が食事に集中することが期待される。切欠部を有することによって、食器の出し入れが容易となる。冷却剤部を内壁面の傾斜に沿った形状にすれば、冷却剤部が本体上部に効率的に収まることとなる。本体下部を備えれば、食器の底面が浮くことになり、冷却効果が高まる。本体上部が冷却剤部の形状に沿って環状に湾曲していれば、冷却剤部が本体上部に効率的に収まることとなる。
【００１８】
本発明のこれらおよび他の目的、特徴、局面、効果は、添付図面と照合して、以下の詳細な説明から一層明らかになるであろう。
【図面の簡単な説明】
【００１９】
【図１】図１は、本発明の第１の実施形態に係る食器内容物冷却器具１を示す斜視図である。
【図２】図２は、食器内容物冷却器具１に食器２を載置したときの端面図である。
【図３Ａ】図３Ａは、冷却剤部５の平面図である。
【図３Ｂ】図３Ｂは、冷却剤部５の正面図である。
【図４】図４は、本発明の第１の実施形態に係る食器内容物冷却器具１を示す斜視図である。
【図５】図５は、食器内容物冷却器具１に食器２を載置したときの端面図である。
【図６Ａ】図６Ａは、第２の実施形態における冷却剤部５の平面図である。
【図６Ｂ】図６Ｂは、第２の実施形態における冷却剤部５の正面図である。
【図７】図７は、本発明の第３の実施形態に係る食器内容物冷却器具１を示す斜視図である。
【図８Ａ】図８Ａは、第３の実施形態における冷却剤部５の平面図である。
【図８Ｂ】図８Ｂは、第３の実施形態における冷却剤部５の正面図である。
【図９】図９は、本発明の第４の実施形態に係る食器内容物冷却器具１を示す斜視図である。
【図１０Ａ】図１０Ａは、第３の実施形態における冷却剤部５の平面図である。
【図１０Ｂ】図１０Ｂは、第３の実施形態における冷却剤部５の正面図である。
【発明を実施するための形態】
【００２０】
（第１の実施形態）
図１は、本発明の第１の実施形態に係る食器内容物冷却器具１を示す斜視図である。図２は、食器内容物冷却器具１に食器２を載置したときの端面図である。食器内容物冷却器具１は、本体上部３と、本体下部４と、冷却剤部５とを備える。本体上部３の上部開口６から、食器２が出し入れされる。本体上部３は、冷却剤部５を載置できるように、内壁面が冷却剤部５の形状に沿って環状に湾曲している。
【００２１】
図３Ａは、冷却剤部５の平面図である。図３Ｂは、冷却剤部５の正面図である。冷却剤部５は、ドーナツ状であり、たとえば、樹脂製の袋部材に保冷剤が封入されることによって、製造されている。図３Ｂに示すように、冷却剤部５は、本体上部３の内壁面の傾斜に沿った形状を有すると良い。たとえば、冷却剤部５の断面が略楕円状であっても良いし、図３Ｂに示すように冷却剤部５の断面が角を丸めた長方形状であっても良い。冷却剤部５は、食器内容物冷却器具１から外して、冷蔵庫や冷凍庫で容易に冷却おくことができる。
【００２２】
本体下部４は、本体上部３に食器２が収容されたときに、食器２の底面が接触しないような高さを有する。これにより、図２に示すように、食器２の側面が、冷却剤部５と密接することとなる。よって、食器２に収容されている内容物を冷却して、乳幼児等にとって食べやすくするための食器内容物冷却器具１であって、冷却剤の冷却が容易な食器内容物冷却器具が提供されることとなる。
【００２３】
（第２の実施形態）
図４は、本発明の第１の実施形態に係る食器内容物冷却器具１を示す斜視図である。図５は、食器内容物冷却器具１に食器２を載置したときの端面図である。図４及び図５において、第１の実施形態と同様の機能を有する部分については、同一の参照符号を付す。図４及び図５に示すように、冷却剤部５を載置できるように本体上部３を湾曲させる際の湾曲形状は、第１の実施形態のように、斜めに湾曲していても良いし、第２の実施形態のように、略垂直に湾曲していても良い。すなわち、本発明において、本体上部３は、冷却剤部５を載置できるように湾曲していれば、湾曲形状は特に限定されるものでない。図６Ａは、第２の実施形態における冷却剤部５の平面図である。図６Ｂは、第２の実施形態における冷却剤部５の正面図である。図６Ａ及び図６Ｂに示すように、本体上部が略垂直に湾曲している場合、冷却剤部５は、断面が円形のドーナツ状であると良い。
【００２４】
（第３の実施形態）
図７は、本発明の第３の実施形態に係る食器内容物冷却器具１を示す斜視図である。図７において、第１の実施形態と同様の機能を有する部分については、同一の参照符号を付す。図８Ａは、第３の実施形態における冷却剤部５の平面図である。図８Ｂは、第３の実施形態における冷却剤部５の正面図である。第３の実施形態では、本体上部３は、状端部から切り欠かれた切欠部７を含む。冷却剤部５は、切欠部７に対応する箇所５ａが欠けた環状である。このように、切欠部７を設けることによって、切欠部７に指を入れ、食器２を容易に取り外すことができる。第３の実施形態において、切欠部７及び箇所５ａ以外の部分は、第１の実施形態と同様である。
【００２５】
（第４の実施形態）
図９は、本発明の第４の実施形態に係る食器内容物冷却器具１を示す斜視図である。図９において、第１の実施形態と同様の機能を有する部分については、同一の参照符号を付す。図１０Ａは、第３の実施形態における冷却剤部５の平面図である。図１０Ｂは、第３の実施形態における冷却剤部５の正面図である。第４の実施形態では、本体上部３は、状端部から切り欠かれた切欠部７を含む。冷却剤部５は、切欠部７に対応する箇所５ａが欠けた環状である。このように、切欠部７を設けることによって、切欠部７に指を入れ、食器２を容易に取り外すことができる。第４の実施形態において、切欠部７及び箇所５ａ以外の部分は、第２の実施形態と同様である。
【００２６】
なお、第３及び第４の実施形態で示された冷却剤部５は、第１及び第２の実施形態で用いられても良い。
【００２７】
なお、本発明は、乳幼児だけでなく、高齢者、介護者、並びに犬や猫などのペットなど、食品を冷まして食べた方がよいあらゆる者に対して、利用可能である。
【００２８】
以上、本発明を詳細に説明してきたが、前述の説明はあらゆる点において本発明の例示にすぎず、その範囲を限定しようとするものではない。本発明の範囲を逸脱することなく種々の改良や変形を行うことができることは言うまでもない。
【産業上の利用可能性】
【００２９】
本発明は、食器に収容されている内容物を冷却するための食器内容物冷却器具であり、産業上利用可能である。
【符号の説明】
【００３０】
１  食器内容物冷却器具
２  食器
３  本体上部
４  本体下部
５  冷却剤部
６  上部開口
７  切欠部
【図１】
2011055995.tif 000003
【図２】
2011055995.tif 000004
【図３Ａ】
2011055995.tif 000005
【図３Ｂ】
2011055995.tif 000006
【図４】
2011055995.tif 000007
【図５】
2011055995.tif 000008
【図６Ａ】
2011055995.tif 000009
【図６Ｂ】
2011055995.tif 000010
【図７】
2011055995.tif 000011
【図８Ａ】
2011055995.tif 000012
【図８Ｂ】
2011055995.tif 000013
【図９】
2011055995.tif 000014
【図１０Ａ】
2011055995.tif 000015
【図１０Ｂ】
2011055995.tif 000016